(57)【要約】【課題】本発明の課題は、根と土を分離して取り出すことを可能とした園芸用土解し装置を提供することである。【解決手段】本発明の園芸用土解し装置は、下側に位置する篩体とその上側に篩体を覆うように位置する蓋体を有し、篩体と蓋体は、互いに対して回転又は往復移動するか、篩体と蓋体の間の解し空間にある回転アームが回転することで、両者の間で団粒が篩体または／及び蓋体に有する解砕刃に擦られることで、もみ解され、団粒を細かく解すことを可能とするものであることを特徴とする。【選択図】図１
2012110291.tif 000002
【特許請求の範囲】
【請求項１】
周囲を囲む篩枠と篩枠の下側に張られた篩網を有する篩体と、前記篩体の上側に前記篩体を覆うように位置する蓋体と、前記篩体と前記蓋体の間の空間に置いた土を動かす用土移動手段と、前記篩体と前記蓋体を支持する架台を有し、
前記篩網の網目のサイズは前記土を解した結果目的とする土の細かさに対応させ、前記蓋体は、前記篩体を覆った場合に、前記土を前記篩網との間で押圧するようにし、前記土の動きにより、前記篩網と前記蓋体とに前記土を擦りあわせて土解しを行うことを特徴とする園芸用土解し装置。
【請求項２】
前記用土移動手段は、前記篩体又は及び前記蓋体を相対的に移動があるように回転又は反復回転、又は往復直線運動を行わせる手動又は機械的又は電気機械的な駆動するものであることを特徴とする請求１記載の園芸用土解し装置。
【請求項３】
前記用土移動手段は、前記篩体と前記蓋体は動かずに、前記篩網面とは直角になる方向に設置された回転軸と前記回転軸に接続した径方向に延びたアームをもつ回転アームと、前記回転アームを手動又は機械的又は電気機械的に駆動する手段を有する駆動手段であることを特徴とする請求項１に記載の園芸用土解し装置。
【請求項４】
前記用土移動手段において、手動又は機械的又は電気機械的な回転又は反復回転の駆動の回転軸を、直接前記篩体の中心から偏心させた位置に前記篩網の面に直角に設置するか、または、前記篩体の略中心から前記篩網の面に直角に設置した第一の軸棒とこれに平行で、かつ偏心のための所望の間隔を有した第二の軸棒と、両軸棒間を接続する接続棒で構成したことを特徴とする請求１又は請求項２記載の園芸用土解し装置。
【請求項５】
前記篩体の前記篩網と前記蓋体の向き合う面を、前記篩体の中心軸を最下点にした下に凸の形状に形成されていることで、重い土は前記中心軸側に移動し、軽い根は前記中心軸から離れた外側にある前記篩枠側に移動させることで、前記土と前記根の分離を容易にすることを特徴とする請求項１から請求項４のいずれか一つに記載の園芸用土解し装置。
【請求項６】
前記押圧する前記蓋体の前記篩体に向き合う面は、前記土を解す網目又は鋭利な凹凸構造を有することを特徴とする請求項１から請求項５のいずれか一つに記載の園芸用土解し装置。
【請求項７】
前記篩体の下に前記篩網の前記網目を通過した前記土を受容する土受容器を有することを特徴とする請求項１から請求項６のいずれか一つに記載の園芸用土解し装置。
【請求項８】
前記篩枠を回転ローラー部により回転自在に下から支持する回転支持体を有することを特徴とする請求項１から請求項７のいずれか一つに記載の園芸用土解し装置。
【請求項９】
前記篩枠の前記蓋体に向き合う面に前記蓋体に向けて延びた刷毛を有することで、前記土の団粒が前記篩体から外にこぼれ落ちることを防止したことを特徴とする請求項１から請求項８のいずれか一つに記載の園芸用土解し装置。
【請求項１０】
前記蓋体の一方の端を前記架台に回転自在に保持し、前記蓋体の他方の端と前記架台に回転自在に取り付けた回転軸を有する回転体との間に張ったワイヤを巻き取り、巻き戻すことで、前記蓋体の前記篩体に対する開け閉めを行わしめたことを特徴とする請求項１から請求項９のいずれか一つに記載の園芸用土解し装置。
【請求項１１】
前記蓋体の一方の端を前記架台に回転自在に保持し、前記架台に回転自在に取り付けた回転軸を有する回転体との間に張ったワイヤを、前記蓋体の他方の端につけた回転リングを介して、前記土受容器の一端に結びつけ、この結節点から離れた前記土受容器の位置で回転自在に動くように、前記土受容器と前記架台との回転結合部を有するようにしたことで、
前記ワイヤの巻き取ることで、最初は、前記蓋体を前記篩体に対して開け、更に前記ワイヤの巻き取ることで、前記土受容器の傾け、前記ワイヤを巻き戻すことで、前記土受容器を水平の位置に戻し、更に前記ワイヤを巻き戻すことで、前記蓋体を前記篩体に対して閉めることを特徴とする請求項１から請求項１０のいずれか一つに記載の園芸用土解し装置。
【請求項１２】
前記蓋体に前記土を供給する土供給口を有することを特徴とする請求項１から請求項１１のいずれか一つに記載の園芸用土解し装置。
【請求項１３】
前記篩枠に根又は石を排出する排出口を有することを特徴とする請求項１から請求項１２のいずれか一つに記載の園芸用土解し装置。
【発明の詳細な説明】
【技術分野】
【０００１】
本発明は、固まった園芸用土、特に、栽培植物の根が絡まって固まった園芸用土を解し、根と分離して再度利用するために用土の再生を行うところの園芸用土解し装置に関するものである。
【背景技術】
【０００２】
園芸用土は、ポットなどの栽培容器に配分して使用されるが、配分前に団粒に固まっていると配分がうまく出来ない。又、使用済みで植物の根が絡まって団粒になっている用土は、団粒状態をとく解し、土と根を分離する必要がある。特許文献１には、土の団粒を解すことに言及した記述が見られる。これによると、土壌の投入口と、その下に土壌解砕装置がある。土壌解砕装置は、回転する軸に直角方向に伸びた解砕するための解砕刃を有していることで、軸の回転に伴って、解砕刃も回転する。更に、土壌解砕装置の内側側面についた土壌をはぎ落とす回転刃をつけたものである。ここで示される装置は、解砕した団粒の大きさは、上下の解砕刃間の隙間が作る空間で決まってしまう欠点がある。団粒が上下の解砕刃間の隙間が作る空間より大きい場合は、落ちずに刃の回転にさらされて更に砕かれるが、団粒が上下の解砕刃間の隙間が作る空間より小さくなると、団粒が隙間の空間をすり抜けて下方向に落ちてしまうため、細かい団粒状態にするには、複数の解砕刃を蜜に設ける必要がある。又、根と土壌は分離されずに下に落下する。
【先行技術文献】
【特許文献】
【０００３】
【特許文献１】特開平９−１０３６９６
【発明の概要】
【発明が解決しようとする課題】
【０００４】
本発明の課題は、解砕した団粒の細かさを解砕刃で決めずに、所望の細かさになるまで土を解砕作業にさらし、所望の細かさになった段階で、下の土溜容器に落ち、更に根がある場合は、根は土溜容器に落ちずに解砕作業の場所に留まることで、根と土を分離して取り出すことを可能とした園芸用土解し装置を提供することである。
【課題を解決するための手段】
【０００５】
本発明の園芸用土解し装置は、下側に位置する篩体とその上側に篩体を覆うように位置する蓋体を有し、篩体と蓋体は、互いに対して回転又は往復移動するか、篩体と蓋体の間の解し空間にある回転アームが回転することで、両者の間で団粒が篩体または／及び蓋体に有する解砕刃に擦られることで、もみ解され、団粒を細かく解すことを可能とするものであることを特徴とする。
尚、篩体は、周囲を囲む枠と枠の下側に張られた網を持つが、この網は、網目の大きさにより落下する団粒のサイズを決めるだけでなく、網を鋭角な形状にして刃にすることで、解砕刃の役割を果たすことが出来る。蓋体は、土がよく擦れるように土を押し付ける蓋になっているが、これが網又は刃を有する網で形成することも可能である。
【０００６】
請求項１記載の発明は、園芸用土解し装置であって、
周囲を囲む篩枠と篩枠の下側に張られた篩網を有する篩体と、前記篩体の上側に前記篩体を覆うように位置する蓋体と、前記篩体と前記蓋体の間の空間に置いた土を動かす用土移動手段と、前記篩体と前記蓋体を支持する架台を有し、
前記篩網の網目のサイズは前記土を解した結果目的とする土の細かさに対応させ、前記蓋体は、前記篩体を覆った場合に、前記土を前記篩網との間で押圧するようにし、前記土の動きにより、前記篩網と前記蓋体とに前記土を擦りあわせて土解しを行うことを特徴とする。
【０００７】
請求項２記載の発明は、請求１記載の園芸用土解し装置において、
前記用土移動手段は、前記篩体又は及び前記蓋体を相対的に移動があるように回転又は反復回転、又は往復直線運動を行わせる手動又は機械的又は電気機械的な駆動するものであることを特徴とする。
【０００８】
請求項３記載の発明は、請求項１に記載の園芸用土解し装置において、
前記用土移動手段は、前記篩体と前記蓋体は動かずに、前記篩網面とは直角になる方向に設置された回転軸と前記回転軸に接続した径方向に延びたアームをもつ回転アームと、前記回転アームを手動又は機械的又は電気機械的に駆動する手段を有する駆動手段であることを特徴とする。
【０００９】
請求項４記載の発明は、請求１又は請求項２記載の園芸用土解し装置において、
前記用土移動手段において、手動又は機械的又は電気機械的な回転又は反復回転の駆動の回転軸を、直接前記篩体の中心から偏心させた位置に前記篩網の面に直角に設置するか、または、前記篩体の略中心から前記篩網の面に直角に設置した第一の軸棒とこれに平行で、かつ偏心のための所望の間隔を有した第二の軸棒と、両軸棒間を接続する接続棒で構成したことを特徴とする。
【００１０】
請求項５記載の発明は、請求項１から請求項４のいずれか一つに記載の園芸用土解し装置において、前記篩体の前記篩網と前記蓋体の向き合う面を、前記篩体の中心軸を最下点にした下に凸の形状に形成されていることで、重い土は前記中心軸側に移動し、軽い根は前記中心軸から離れた外側にある前記篩枠側に移動させることで、前記土と前記根の分離を容易にすることを特徴とする。
【００１１】
請求項６記載の発明は、請求項１から請求項５のいずれか一つに記載の園芸用土解し装置において、前記押圧する前記蓋体の前記篩体に向き合う面は、前記土を解す網目又は鋭利な凹凸構造を有することを特徴とする。
【００１２】
請求項７記載の発明は、請求項１から請求項６のいずれか一つに記載の園芸用土解し装置において、前記篩体の下に前記篩網の前記網目を通過した前記土を受容する土受容器を有することを特徴とする。
【００１３】
請求項８記載の発明は、請求項１から請求項７のいずれか一つに記載の園芸用土解し装置において、前記篩枠を回転ローラー部により回転自在に下から支持する回転支持体を有することを特徴とする。
【００１４】
請求項９記載の発明は、請求項１から請求項８のいずれか一つに記載の園芸用土解し装置において、前記篩枠の前記蓋体に向き合う面に前記蓋体に向けて延びた刷毛を有することで、前記土の団粒が前記篩体から外にこぼれ落ちることを防止したことを特徴とする。
【００１５】
請求項１０記載の発明は、請求項１から請求項９のいずれか一つに記載の園芸用土解し装置において、前記蓋体の一方の端を前記架台に回転自在に保持し、前記蓋体の他方の端と前記架台に回転自在に取り付けた回転軸を有する回転体との間に張ったワイヤを巻き取り、巻き戻すことで、前記蓋体の前記篩体に対する開け閉めを行わしめたことを特徴とする。
【００１６】
請求項１１記載の発明は、請求項１から請求項１０のいずれか一つに記載の園芸用土解し装置において、
前記蓋体の一方の端を前記架台に回転自在に保持し、前記架台に回転自在に取り付けた回転軸を有する回転体との間に張ったワイヤを、前記蓋体の他方の端につけた回転リングを介して、前記土受容器の一端に結びつけ、この結節点から離れた前記土受容器の位置で回転自在に動くように、前記土受容器と前記架台との回転結合部を有するようにしたことで、
前記ワイヤの巻き取ることで、最初は、前記蓋体を前記篩体に対して開け、更に前記ワイヤの巻き取ることで、前記土受容器の傾け、前記ワイヤを巻き戻すことで、前記土受容器を水平の位置に戻し、更に前記ワイヤを巻き戻すことで、前記蓋体を前記篩体に対して閉めることを特徴とする。
【００１７】
請求項１２記載の発明は、請求項１から請求項１１のいずれか一つに記載の園芸用土解し装置において、前記蓋体に前記土を供給する土供給口を有することを特徴とする。
【００１８】
請求項１３記載の発明は、請求項１から請求項１２のいずれか一つに記載の園芸用土解し装置において、前記篩枠に根又は石を排出する排出口を有することを特徴とする。
【発明の効果】
【００１９】
以上の様に構成されているので、本発明の園芸用土解し装置では、解砕作業の空間から土が落下する団粒のサイズは、篩体の網目の大きさで決まるため、大きい団粒は、小さくなるまで篩体と蓋体の間の解砕作業の空間にとどまり、解砕作業が繰り返される。更に、根は、一般に糸状になっているため、網目を抜けることが出来ずに解砕作業の空間にとどまり、土と根が自ずと分離される。ここでは、特許文献１の例のような、解砕刃の蜜な構成が団粒のサイズを決める不都合と、土と根が分離できないという不都合は克服される。
【図面の簡単な説明】
【００２０】
【図１】本発明による園芸用土解し装置の一実施態様を示す図である。
【図２】図１の本発明による園芸用土解し装置の使用状態を説明する図である。
【図３】本発明による園芸用土解し装置の別の実施態様を示す図である。
【図４】本発明に係る園芸用土解し装置の別の実施態様を示す図である。
【発明を実施するための形態】
【００２１】
本発明の園芸用土解し装置は、下側に位置する篩体とその上側に篩体を覆うように位置し、篩体と蓋体の間の空間に置いた土を篩体との間で押し付ける蓋体を有し、篩体と蓋体は、互いに対して回転又は往復移動するか、又は、篩体と蓋体の間の解し空間にある回転アームが回転することで、篩体の網の上に置かれた土の団粒が篩体または／及び蓋体に有する解砕刃に擦られることで、もみ解され、団粒を細かく解すことを可能とするものである。尚、篩体は、周囲を囲む篩枠と篩枠の下側に張られた篩網を有している。以下、実施例を用いて説明する。篩体と蓋体は、互いに対して回転又は往復移動すること又は、篩体と蓋体の間の解し空間にある回転アームが回転する手段は、土の団粒を動かす用土移動手段となっている。
【００２２】
図１は、本発明による園芸用土解し装置の一実施態様を示す図である。１−Ａにおいて、
篩体１００は、周囲を囲む篩枠１０１と篩枠の下側に張られた篩網１０２を有している。その他に、この図では篩網１０２の強度を補助するため、補強バー１０３を有している。蓋体１１０は、蓋枠１１１と土を篩体との間で押し付ける蓋板１１２を有し、この図では、土の解し作業を効果的にするように、蓋板１１２が網状になっている。たに網状蓋板１１２を補強する第二の補強バー１１３も示されている。この図では、蓋体１１０が、開いた状態を示し、使用時には、この状態から篩網１０２の上に塊となった団粒の土を必要な量だけ載せて、篩体１００を覆うように蓋体１１０を下ろして使用する。篩体１００又は／及び蓋体１１０を回転又は往復移動するための駆動手段１２０が必要であるが、この図では、篩体１００を回転するための回転駆動機１２０Ａが示されている。回転駆動機１２０Ａは、電動機１２１と電動機１２１の軸の回転を篩体１００の回転に伝える駆動伝達手段１２２を有している。図では、駆動伝達手段１２２は、回転円板になっていて、これが篩体１００の篩枠の外面に接触し、回転円板の回転が篩体１００の回転に伝わるようになっている。
尚、この回転は、一方方向の回転なくともよく、往復回転でもよい。又、直線往復運動になる駆動を行ってもよいことは勿論である。又、ここでは、篩体１００を蓋体１１０に対して動くようにしたが、篩体１００に対して蓋体１１０を動くように構成することや、両者とも動くように構成することも可能である。解し作業を受けて細かくなった団粒は、篩網１０２の網目の穴サイズより小さくなると、この穴を通過し、下に落ちる。落下土を受ける土受容器１３０が篩体１００の下に設けられている。尚、この図では、篩体１００は、回転軸１０４を中心として回転するが、回転軸１０４は、補強バー１０３により篩枠１０１に繋がっている。このままでは、土の偏りや重さにより回転が円滑にならないことを補助するため、篩枠１０１を回転自在に支持する回転支持手段１０５が付いている。回転支持手段１０５は、土受容器１３０の上に立てられ、先端にローラーが付いているもので、ローラーは、篩枠１０１を回転自在に載せて支持しているものである。更に、蓋枠１１１から上に伸びるように刷毛１０６をつけておくと、ここから土の団粒が外側にはみ出すことを防ぐことが出来るので好都合である。
【００２３】
篩体１００と蓋体１１０と駆動手段１２０と土受容器１３０は、装置架台１４０に取り付けられている。装置架台１４０の立フレーム１４１は、垂直に立ち上がったフレームであるが、これには蓋体１１０の一方の端が、回転結合部１４２を介して回転自在に結合されている。同様に、第二の立フレーム１４３には、土受容器１３０が、第二の回転結合部１４４を介して回転自在に結合されている。
立フレーム１４１の上端には、回転ハンドル１５０を有する回転軸１５１が回転自在に支持され、回転ハンドル１５０により回転軸１５１を回すと、回転軸１５１に付設した巻取リング１５２により、ワイヤ１５３を巻取り、巻き戻しが出来る。この図では、ワイヤ１５３は、一方の端は、巻取リング１５２に絡めてあるが、他方の端は、図のように、蓋体１１０の回転結合部１４２があるほうとは他の端にある回転リング１１４を介し、更に土受容器１３０の端であって、第二の回転結合部１４４とは離れた位置の端についた第二の回転リング１３１又は、これを介して土受容器１３０に接続している。
【００２４】
１−Ａでは、篩体１００の略中央に回転軸の中心を置いた例を示したが、更に好ましい例として、１−Ｂから１−Ｄにおいて、篩体１００が偏心して動く構成を示している。
１−Ｄでは、篩体１００の中央から偏ったところに回転軸を取り付けたれいである。これでも偏心して回転する。しかし、更に効果的にするには、１−Ｂのように、篩体１００の中央にこれを支え、篩網１０２面に直角に伸びた篩体保持軸棒１６０があり、これに繋がって、間隔Ｗだけずれた篩回転軸棒１６１がある構成を示す。篩回転軸棒１６１が回転すると、篩体１００がＷの半径で回転する。尚、この図では、更に篩体保持軸棒１６０に回転自在の継ぎ手が介在しているので、篩体１００が回転し、中の塊となった団粒の土が、蓋体１１０に当たる事で、篩体１００が篩体保持軸棒１６０の周りに回転し、団粒の土が同じ処理状態にとどまることなく、蓋体１１０の各位置に擦られることで、均質な処理が可能となる。尚、棒は中空の管状体も含むものとする。
１−Ｃでは、１−Ｂのものを点線により１８０°回転移動した状態を示している。
【００２５】
図２は、図１の本発明による園芸用土解し装置の使用状態を説明する図である。
２−Ａは、蓋体１１０が水平の位置にある篩体１００にかぶさった状態を示している。この状態は、篩網１０２の上（解砕作業の空間）に土の団粒を載せて解砕作業を行っている状況を示している。２−Ｂは、回転ハンドル１５０を回して、ワイヤ１５３を巻き取り又は巻き戻しをしていて、蓋体１１０のみが斜めに立ち上がった状態である。このような状態では、篩網１０２の上に土の団粒を載せたり、根屑を除いたりすることが出来る状態を示している。この状態から更に巻き取ると、土受容器１３０も傾けることが出来る。
以下、詳細に順を追って説明する。
【００２６】
回転ハンドル１５０を回しワイヤ１５３を巻取ると、最初に蓋体１１０と巻取リング１５２の間のワイヤ１５３が短くなるように巻き取られるので、蓋体１１０が図の状態のように端が持ち上がって開いた状態になる。このような状態は、新たな土を載せる場合や、根を取り出す状態である。土受容器１３０は未だ水平のままである。
更に回転ハンドル１５０を回しワイヤ１５３を巻取ることを行うと、蓋体１１０は限度まで上がって動けないので、蓋体１１０の回転リング１１４と土受容器１３０の第二の回転リング１３１の間のワイヤ１５３が短くなるように巻き取られるので、土受容器１３０の端が第二の回転結合部１４４を中心に回るように持ち上がって、土受容器１３０に落ちた土が滑り落ち、土受容器１３０の開口部１３２から落ちるので、バケツのような別の容器に解した土のみを受けることが出来る。回転ハンドル１５０を逆に回しワイヤ１５３を巻戻すと、土受容器１３０が水平状態になり、ここで処理すべき新たな土を載せる。更にワイヤ１５３を巻戻すと、蓋体１１０が篩体１００を覆うように水平の位置に下りるので、両者の間を締め付ける締付ロック１６２を掛けて、電動機１２１に電源を供給し、解し作業を行う。
【００２７】
図３は、本発明による園芸用土解し装置の別の実施態様を示す図である。３−Ａでは、蓋体１１０が閉じた状態、３−Ｂでは、蓋体１１０が開いた状態を示している。
３−Ｂに見るように、この例では、篩体１００を回転することなく、篩体１００の上には、その代わりに回転軸を持つ回転アーム１７０があって、この回転アームは、篩体１００の上においた土の団粒を押して回転移動させ、そのことにより、篩網１０２と蓋体１１０の間で擦られ団粒が解きほぐされる。又、回転アーム１７０が鋭角な刃を持てば尚、これにより団粒の解きほぐしが行われる。
更に、この図では、蓋体１１０を閉じた状態でも、土の団粒を供給できる土供給口１７１が蓋体１１０に、篩網１０２の網目を通過せずに篩網１０２の上に残った根や石をはじき出す排出口１７２を篩体１００の側面である篩枠１０１に有している。尚、土供給口１７１と排出口１７２とは、図１の場合にも設置できることは当然である。尚、回転アーム１７０を回転する駆動電動機は、図に示されていないが設置されていることは当然である。又、図１、図３に係わらず、駆動電動機の代わりに、手回し駆動を行うことも可能である。
【００２８】
本発明に係る園芸用土解し装置の別の実施態様を示す図である。
この例では、園芸用土解し装置を構成する架台は示さず、図１から図３の例と違うところの主要部のみを示す。特に違うのは、篩体１００の篩網１０２と蓋体１１０の向き合う面が中心軸を最下点にした下に凸の状態に形成されていることである。この凸の状態の傾きにもよるが、重い土は中心軸側に移動し、軽い根は、外周の篩枠１０１側に移動して、根は、排出口１７２から排出される。尚、排出を助けるため、回転アーム１７０の回転に伴って回転する第二の回転アームを根掻き出しのための掻出手段１７３として持つことは好都合である。又、この図の例のように、最初から土受容器１３０を傾けて設置しても良い。土は、常時滑り降りてバケツ１７４などにたまることになる。
【００２９】
尚、図３及び図４の排出口１７２からは、石も排出することが可能である。回転の速さを適当にすると、遠心力により石が外周の篩枠１０１側に移動してくるからである。
【００３０】
尚、各図において、説明に出てこない部分は番号をふっていないが、他の図で番号をふったものと同じ図形をしているものは、同じものである。
【産業上の利用可能性】
【００３１】
以上のように本発明に係る園芸用土解し装置は、篩体１００の篩網１０２と蓋体１１０の間で土が擦られ、解されるので、篩網１０２の網目のサイズより小さくなった土の団粒が篩網１０２を通過して下に落ち、大きい団粒は、解きほぐし作業が継続され、根は、篩網１０２の上に残って排出されるので、土と根の分離が自ずと行われ、極めて有効であり産業上利用性が極めて大きい。
【符号の説明】
【００３２】
１００  篩体
１０１  篩枠
１０２  篩網
１０３  補強バー
１０４  回転軸
１０５  回転支持手段
１０６  刷毛
１１０  蓋体
１１１  蓋枠
１１２  蓋板
１１３  第二の補強バー
１１４  回転リング
１２０  駆動手段
１２０Ａ  回転駆動機
１２１  電動機
１２２  駆動伝達手段
１３０  土受容器
１４０  装置架台
１４１  立フレーム
１４２  回転結合部
１４３  第二の立フレーム
１４４  第二の回転結合部
１５０  回転ハンドル
１５１  回転軸
１５２  巻取リング
１５３  ワイヤ
１６０  篩体保持軸棒
１６１  篩回転軸棒
１６２  締付ロック
１７０  回転アーム
１７１  土供給口
１７２  排出口
１７３  掻出手段
１７４  バケツ
【図１】
2012110291.tif 000003
【図２】
2012110291.tif 000004
【図３】
2012110291.tif 000005
【図４】
2012110291.tif 000006